【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
ＨＤＲ画像を符号化する画像符号化装置であって、
符号化対象のＨＤＲ画像を入力する入力手段と、
入力したＨＤＲ画像から、ＬＤＲ画像と、当該ＬＤＲ画像と前記ＨＤＲ画像との差を表す差分情報とを生成する生成手段と、
該生成手段で生成されたＬＤＲ画像を符号化する符号化手段と、
前記ＬＤＲ画像の特徴を表すデータで構成される情報を、ＬＤＲメタデータとして算出する算出手段と、
ＬＤＲ画像用のファイル構造における主符号化データ格納領域に前記符号化手段で生成されたＬＤＲ画像の符号化データを格納し、前記差分情報及び前記ＬＤＲメタデータについては、前記ファイル構造における、ＬＤＲ画像用の復号装置では非参照領域として定義されたマーカ内に格納することで、ＨＤＲ符号化ファイルを生成するファイル生成手段と、
を有し、
前記算出手段は、
前記ＬＤＲ画像中のｎ×ｍ画素から１つの代表画素を生成することで、当該代表画素からＬＤＲ縮小画像を生成する縮小手段を有し、
前記符号化手段は、前記ＬＤＲ縮小画像をも符号化し、
前記ファイル生成手段は、前記ＬＤＲ縮小画像の符号化データを、前記ＬＤＲメタデータとして前記マーカ内に格納して、前記ＨＤＲ符号化ファイルを生成する
ことを特徴とする画像符号化装置。
【請求項２】
前記符号化手段は、前記差分情報をも符号化することを特徴とする請求項１に記載の画像符号化装置。
【請求項３】
更に、前記ＬＤＲ画像からハッシュ値を算出する手段を有し、
前記ファイル生成手段は、前記ハッシュ値も前記マーカ内に格納することを特徴とする請求項１又は２に記載の画像符号化装置。
【請求項４】
前記算出手段は、前記ＬＤＲ縮小画像の各画素がエッジ画素であるか否かを表すエッジ画像を前記ＬＤＲメタデータとして生成する手段を含むことを特徴とする請求項１に記載の画像符号化装置。
【請求項５】
前記算出手段は、前記ＨＤＲ画像のダイナミックレンジを予め設定された分割数で分割し、各分割区間に対応する前記ＬＤＲ画像の各画素値の対応区間に番号を付し、前記ＬＤＲ画像の画素値を前記対応区間の番号で置き換えたマップ画像を前記ＬＤＲメタデータとして生成する手段を含むことを特徴とする請求項４に記載の画像符号化装置。
【請求項６】
ＨＤＲ符号化ファイルを復号する画像復号装置であって、
ＨＤＲ符号化ファイルの中の、ＬＤＲ画像用のファイル構造における主符号化データ格納領域に格納されたＬＤＲ画像の符号化データを復号する復号手段と、
前記ファイル構造における、ＬＤＲ画像用の復号装置では非参照領域として定義されたマーカ内から、前記ＬＤＲ画像とＨＤＲ画像との差を表す差分情報とＬＤＲメタデータとを抽出する抽出手段と、
前記復号手段で復号したＬＤＲ画像から、前記ＬＤＲメタデータを生成する生成手段と、
該生成手段で生成されたメタデータと前記抽出手段で抽出したメタデータとを用いて、前記復号手段が復号した前記ＬＤＲ画像がオリジナルのＬＤＲ画像から編集されている状態を特定する特定手段と、
該特定の結果に基づいて、前記復号手段が復号した前記ＬＤＲ画像と差分情報からＨＤＲ画像を生成、出力するか、前記復号手段が復号した前記ＬＤＲ画像を出力するかを選択させる出力制御手段と
を有することを特徴とする画像復号装置。
【請求項７】
前記マーカ内にハッシュ値が格納されている場合には当該ハッシュ値を抽出し、前記復号手段で復号したＬＤＲ画像からハッシュ値を算出し、両者を比較し、一致した場合には前記特定手段による特定する処理を省略し、前記復号手段で復号したＬＤＲ画像はオリジナルのＬＤＲ画像のままであると判定する手段を更に有することを特徴とする請求項６に記載の画像復号装置。
【請求項８】
前記特定手段は、
前記マーカ内よりＬＤＲ縮小画像の符号化データを抽出、復号し、
前記復号手段で復号したＬＤＲ画像からＬＤＲ縮小画像を生成し、
復号したＬＤＲ縮小画像と、縮小して得たＬＤＲ縮小画像の画素値どうしの差が予め設定された許容値以下であるか否かを判定し、
前記許容値以下である場合に、前記復号手段で得られたＬＤＲ画像に対しては予め設定された許容範囲内の編集がなされているものと判定する
ことを特徴とする請求項６又は７に記載の画像復号装置。
【請求項９】
前記特定手段は、
前記マーカ内よりエッジ画像を抽出し、
前記復号手段で復号したＬＤＲ画像からエッジ画像を生成し、
抽出したエッジ画像と、生成したエッジ画像の画素値どうしが一致しているか否かを判定し、
一致していると判定した場合に、前記復号手段で得られたＬＤＲ画像に対しては予め設定された許容範囲内の編集がなされているものと判定する
ことを特徴とする請求項６乃至８のいずれか１項に記載の画像復号装置。
【請求項１０】
前記特定手段は、
前記マーカ内よりマップ画像を抽出し、
前記復号手段で復号したＬＤＲ画像から、ＨＤＲ画像のダイナミックレンジを予め設定された分割数で分割し、各分割区間に対応する前記ＬＤＲ画像の各画素値の対応区間に番号を付し、前記ＬＤＲ画像の画素値を前記対応区間の番号で置き換えたマップ画像を前記ＬＤＲメタデータとして生成し、
抽出したマップ画像と、生成したマップ画像の画素値どうしが一致しているか否かを判定し、
一致していると判定した場合に、前記復号手段で得られたＬＤＲ画像に対しては予め設定された許容範囲内の編集がなされているものと判定する
ことを特徴とする請求項６乃至９のいずれか１項に記載の画像復号装置。
【請求項１１】
更に、前記特定の結果に基づいて、前記復号手段が復号した前記ＬＤＲ画像と差分情報からＨＤＲ画像を生成、出力するか、前記復号手段が復号した前記ＬＤＲ画像を出力するかをユーザに選択させる表示を行わせる表示制御手段を有することと特徴とする請求項６に記載の画像復号装置。
【請求項１２】
ＨＤＲ画像を符号化する画像符号化装置の制御方法であって、
入力手段が、符号化対象のＨＤＲ画像を入力する入力工程と、
生成手段が、入力したＨＤＲ画像から、ＬＤＲ画像と、当該ＬＤＲ画像と前記ＨＤＲ画像との差を表す差分情報とを生成する生成工程と、
符号化手段が、該生成工程で生成されたＬＤＲ画像を符号化する符号化工程と、
算出手段が、前記ＬＤＲ画像の特徴を表すデータで構成される情報を、ＬＤＲメタデータとして算出する算出工程と、
ファイル生成手段が、
ＬＤＲ画像用のファイル構造における主符号化データ格納領域に前記符号化工程で生成されたＬＤＲ画像の符号化データを格納し、前記差分情報及び前記ＬＤＲメタデータについては、前記ファイル構造における、ＬＤＲ画像用の復号装置では非参照領域として定義されたマーカ内に格納することで、ＨＤＲ符号化ファイルを生成するファイル生成工程と、
を有し、
前記算出工程は、
前記ＬＤＲ画像中のｎ×ｍ画素から１つの代表画素を生成することで、当該代表画素からＬＤＲ縮小画像を生成する縮小工程を有し、
前記符号化工程では、前記ＬＤＲ縮小画像をも符号化し、
前記ファイル生成工程では、前記ＬＤＲ縮小画像の符号化データを、前記ＬＤＲメタデータとして前記マーカ内に格納して、前記ＨＤＲ符号化ファイルを生成する
ことを特徴とする画像符号化装置の制御方法。
【請求項１３】
ＨＤＲ符号化ファイルを復号する画像復号装置の制御方法であって、
復号手段が、ＨＤＲ符号化ファイルの中の、ＬＤＲ画像用のファイル構造における主符号化データ格納領域に格納されたＬＤＲ画像の符号化データを復号する復号工程と、
抽出手段が、前記ファイル構造における、ＬＤＲ画像用の復号装置では非参照領域として定義されたマーカ内から、前記ＬＤＲ画像とＨＤＲ画像との差を表す差分情報とＬＤＲメタデータとを抽出する抽出工程と、
生成手段が、前記復号工程で復号したＬＤＲ画像から、前記ＬＤＲメタデータを生成する生成工程と、
特定手段が、該生成工程で生成されたメタデータと前記抽出工程で抽出したメタデータとを用いて、前記復号工程が復号した前記ＬＤＲ画像がオリジナルのＬＤＲ画像から編集されている状態を特定する特定工程と、
出力制御手段が、該特定の結果に基づいて、前記復号工程が復号した前記ＬＤＲ画像と差分情報からＨＤＲ画像を生成、出力するか、前記復号工程が復号した前記ＬＤＲ画像を出力するかを選択させる出力制御工程と
を有することを特徴とする画像復号装置の制御方法。
【請求項１４】
コンピュータに読み込ませ実行させることで、前記コンピュータに、請求項１２に記載の画像符号化装置の制御方法の各工程を実行させるためのプログラム。
【請求項１５】
コンピュータに読み込ませ実行させることで、前記コンピュータに、請求項１３に記載の画像復号装置の制御方法の各工程を実行させるためのプログラム。
【請求項１６】
ＨＤＲ画像を編集する画像処理装置であって、
編集対象のＨＤＲ画像の符号データを入力する入力手段と、
前記符号データに含まれるＬＤＲ画像の符号データを抽出して復号することで、当該ＬＤＲ画像を生成するＬＤＲ復号手段と、
前記符号データに含まれ、ＬＤＲと組み合わせてＨＤＲ画像を復元するために必要なＨＤＲ拡張データを特定する特定手段と、
ＬＤＲ画像の編集内容に応じて、前記ＨＤＲ拡張データを削除するかどうかを判断する判断手段と、
該判断手段により前記ＨＤＲ拡張データを削除すると判断した場合に、当該ＨＤＲ拡張データを削除する削除手段と
を有することを特徴とする画像処理装置。
【請求項１７】
ＨＤＲ画像を編集する画像処理装置の制御方法であって、
入力手段が、編集対象のＨＤＲ画像の符号データを入力する入力工程と、
ＬＤＲ復号手段が、前記符号データに含まれるＬＤＲ画像の符号データを抽出して復号することで、当該ＬＤＲ画像を生成するＬＤＲ復号工程と、
特定手段が、前記符号データに含まれ、ＬＤＲと組み合わせてＨＤＲ画像を復元するために必要なＨＤＲ拡張データを特定する特定工程と、
判断手段が、ＬＤＲ画像の編集内容に応じて、前記ＨＤＲ拡張データを削除するかどうかを判断する判断工程と、
削除手段が、該判断工程により前記ＨＤＲ拡張データを削除すると判断した場合に、当該ＨＤＲ拡張データを削除する削除工程と
を有することを特徴とする画像処理装置の制御方法。
【請求項１８】
コンピュータに読み込ませ実行させることで、前記コンピュータに、請求項１７に記載の画像処理装置の制御方法の各工程を実行させるためのプログラム。
【請求項１９】
請求項１４、１５、１８のいずれか１項に記載のプログラムを格納した、コンピュータが読み取り可能な記憶媒体。
【手続補正２】
【補正対象書類名】明細書
【補正対象項目名】００１５
【補正方法】変更
【補正の内容】
【００１５】
この課題を解決するため、例えば本発明の画像符号化装置は以下の構成を備える。すなわち、
ＨＤＲ画像を符号化する画像符号化装置であって、
符号化対象のＨＤＲ画像を入力する入力手段と、
入力したＨＤＲ画像から、ＬＤＲ画像と、当該ＬＤＲ画像と前記ＨＤＲ画像との差を表す差分情報とを生成する生成手段と、
該生成手段で生成されたＬＤＲ画像を符号化する符号化手段と、
前記ＬＤＲ画像の特徴を表すデータで構成される情報を、ＬＤＲメタデータとして算出する算出手段と、
ＬＤＲ画像用のファイル構造における主符号化データ格納領域に前記符号化手段で生成されたＬＤＲ画像の符号化データを格納し、前記差分情報及び前記ＬＤＲメタデータについては、前記ファイル構造における、ＬＤＲ画像用の復号装置では非参照領域として定義されたマーカ内に格納することで、ＨＤＲ符号化ファイルを生成するファイル生成手段と、
を有し、
前記算出手段は、
前記ＬＤＲ画像中のｎ×ｍ画素から１つの代表画素を生成することで、当該代表画素からＬＤＲ縮小画像を生成する縮小手段を有し、
前記符号化手段は、前記ＬＤＲ縮小画像をも符号化し、
前記ファイル生成手段は、前記ＬＤＲ縮小画像の符号化データを、前記ＬＤＲメタデータとして前記マーカ内に格納して、前記ＨＤＲ符号化ファイルを生成する
ことを特徴とする。